(57)【要約】【課題】既設壁面に新規壁板を取付けていくリフォーム工法において、サッシ窓枠部分の防水性を損なうことなく、しかも外観も良好に処理する。【解決手段】既設壁面４上に設けた下地材３に、既設サッシ窓枠１の四周に沿って配置固定される帯板状基部１１と、該帯板状基部１１のサッシ窓枠１側端より前記既設サッシ窓枠方向へ伸びる接合用延出片１３と、前記帯板状基部１１のサッシ窓枠側端からリフォーム壁面２表面より突出して延出される縁部材１４とを備えてなり、上枠、下枠に対して水切り部等が設けられる。【選択図】図１
2007198127.tif 000002
【特許請求の範囲】
【請求項１】
既設壁面上に設けられた下地材に、既設サッシ窓枠の四周に沿って配置固定される帯板状基部と、該帯板状基部のサッシ窓枠側端より前記既設サッシ窓枠方向へ伸びる接合用延出片と、前記帯板状基部のサッシ窓枠側端からリフォーム壁面表面より突出して延出される縁部材とを備えた補修部材によるリフォーム壁面に対するサッシ窓枠施工方法。
【発明の詳細な説明】
【技術分野】
【０００１】
本発明は、リフォーム壁面に対するサッシ窓枠施工方法に関する。
【背景技術】
【０００２】
建築物外壁をリフォームする手段として、モルタル外壁や壁板を除去することなく、既設の壁面上に縦胴縁を一定間隔毎に打ち付け固定し、その縦胴縁に外壁板を固定していく場合、あるいは胴縁に代え取付け金具を固定し、この取付け金具に外壁板を固定していく場合がある。
【０００３】
この工法は、既設の壁面を取り壊すことなくそのまま新規壁の基面として利用するので、既設壁面を取り壊し、新たに壁面を新設する工事に比べ手間が簡単化され、また安価に実施できる効果を有する。
しかし、既設壁面にサッシ窓枠などが有ると、図９に示すように、サッシ窓枠１が、新設されたリフォーム用壁板２の表面から沈み込んだ状態となり、リフォーム用壁板２の縁２ａとサッシ窓枠１とのあいだに何らかの防水処理を施す必要が生じ、また、外観を良くするための補修工事も必要となる。なお、図中３は胴縁、４は既設の壁面、５は既設壁面の下地材、５ａは柱、桁材などを示す。
【０００４】
従来では、このようなリフォーム用壁板２の縁２ａの防水処理として図９に示すようにリフォーム用壁板２の縁２ａに水切り板２ｂを当てがい、これをサッシ窓枠１と接続したり、あるいは図１０に示すようにサッシ窓枠１周囲に枠部材６を巡らせ、リフォーム用壁板２の裏面から枠部材６にかけて水切り金物７を当てがうことにより処理することが行なわれていた。
【特許文献１】特開平６−２９９７０８号公報
【特許文献２】特開平１１−１１７４９８号公報
【特許文献３】特開平７−４８９３６号公報
【特許文献４】特開２０００−２７４５１号公報
【発明の開示】
【発明が解決しようとする課題】
【０００５】
しかしながら、図９に示した構造の場合、構造は簡単なものの水切り板２ｂには、壁板２表面に沿って流れる雨水が侵入しやすいといった問題があり、図１０に示した構造の場合は、防水効果はあるものの、サッシ窓枠１周囲に枠部材６を取付け、さらに水切り金物７を取り付けるのにかなり手間がかかるなど工事が面倒となる欠点があった。
さらに、上記いずれの工法の場合も、サッシ窓枠１は図９、図１０からも明らかなようにリフォーム用壁面２から沈み込んだままの状態となるので、壁面にあらわれる窓枠全体の外観も悪くなるといった問題もあった。
【０００６】
この発明は上記問題点を解消し、既設壁面に新規壁板を取付けていくリフォーム工法において、サッシ窓枠部分の防水性を損なうことなく、しかも外観も良好に処理することを課題としてなされたものである。
【課題を解決するための手段】
【０００７】
上記の課題を解決するために、本発明のリフォーム壁面に対するサッシ窓枠施工方法は、既設壁面上に設けられた下地材に、既設サッシ窓枠の四周に沿って配置固定される帯板状基部と、該帯板状基部のサッシ窓枠側端より前記既設サッシ窓枠方向へ伸びる接合用延出片と、前記帯板状基部のサッシ窓枠側端からリフォーム壁面表面より突出して延出される縁部材とを備えた補修部材によるものである。
【発明の効果】
【０００８】
以上説明したように、本発明によれば、既設壁面上にリフォーム用壁板を貼り付け固定した場合に、既設のサッシ窓枠とリフォーム用壁板との間の隙間が接合用延出片とこれに連なる縁部材とによって覆われ、防水性が確保されると共に、リフォーム用壁板表面へ突出する縁部材によってサッシ窓枠の外観も整えられるといった効果を有する。また、構造も簡単なため安価に提供でき実施も容易となるなどの効果を有する。
【発明を実施するための最良の形態】
【０００９】
以下、本発明の実施の形態を図面に基づいて説明する。
実施の形態１
図１はこの発明の実施の形態１であるリフォーム壁面に対するサッシ窓枠の補修部材の断面図であり、横枠辺部分の断面を示したものである。
【００１０】
図１において、１０はリフォーム壁面に対するサッシ窓枠の補修部材を示し、モルタル壁などの既設壁面４上に架設固定された胴縁などの下地材３に、既設サッシ窓枠１の周囲に沿って配置固定される帯板状基部１１と、この帯板状基部１１のサッシ窓枠側端１２より既設サッシ窓枠１方向へ伸びる接合用延出片１３と、帯板状基部のサッシ窓枠側端１２よりリフォーム壁面２の表面より突出して延出される縁部材１４とを備えて構成され、図示例の場合は上記帯板状基部１１、接合用延出片１３および縁部材１４が、アルミ軽合金や硬質プラスチックなどによる一体成形体とされている。
【００１１】
また、上記縁部材１４の外縁には額縁状の外観とするための折り返し縁１４ａが形成されている。図中８は、リフォーム用壁板２と縁部材１４との間に充填されるシール材を示す。このシール材８は、コーキングなど不定形シーリング剤で、帯板状基部１１を底面とするリフォーム用壁板２と縁部材１４との間に形成される溝状空間に充填されている。
【００１２】
次に、この実施の形態１の使用状態を説明する。モルタル塗装や壁板貼り付けで仕上げられた既設壁面（図示例はモルタル塗装仕上げ）４表面に、支持面が同一レベルで不陸がないように胴縁３を釘などの止着具４ａで基礎の柱や桁５ａあるいは壁面４などに直接固定し、その胴縁３に、既設のサッシ窓枠１の左右横枠辺および上下枠辺周囲に帯状基板部１１を配置し、接合用延出片１３を既設サッシ窓枠１の外縁１ａに当接させて配置し、必要に応じ外縁１ａと接合用延出片１３との間に部分拡大図に示すようにシーリング材やパッキン材などの防水用充填材１３ａを介挿し、釘などの止着具１５で固定する。
【００１３】
そして、帯状基板１１の上にリフォーム用壁板２を釘などの止着具１６で固定し、最終的にコーキング剤など不定形シール材８を充填する。従って、胴縁３に帯状基板１１で固定された補修部材１０の接合用延出片１３がサッシ窓枠１の外縁と接してリフォーム用壁板２裏面の隙間を塞ぐのでこの部分の防水性が良く、また縁部材１４がリフォーム用壁板２表面より突出するので、既設のサッシ窓枠１の縁が縁部材１４によってリフォーム壁面外面に延出された状態となり、サッシ窓枠の外観を整える。
【００１４】
従って、簡単な工事で防水施工とサッシ窓枠の外観保持の施工が同時に可能となる。また、リフォーム壁面に対するサッシ窓枠の補修部材１０は構造も簡単なので安価に提供できるなどの効果も有する。
【００１５】
なお、上記実施の形態における、壁下地材として胴縁３を使用した場合を説明したが、壁下地材はこれに限るものではなく図２（ａ）に示すように既設壁面４上に木材や硬質合成樹脂製のブロック状ないしは細板状スペーサ３ａを取付け、これに帯状基板１１を固定すると共に壁板２を前記帯状基板１１上に固定し、壁板２の他側は壁面４上に直接取付けた金具３ｂに固定する構造とすることもできる。
【００１６】
さらに、図２（ｂ）に示すように傾斜角θの傾斜面３ｃを利用しスペーサ３ｄを矢印Ｘ方向へ移動することにより金具３ｅの突出量Ｙを変化させる事のできる不陸調整機能付き取付け金具３ｆを介し、この金具３ｆの係合爪３ｇにリフォーム用壁板２の係合段部２ａを係合することによって固定するようにしてもよい。
【００１７】
図３はさらに他の構成例を示し、既設壁板４上に帯状基板１１を固定するにあたり、この帯状基板１１と同方向に胴縁３を配置し、これにねじ１５を用いて固定すると共に、この帯状基板１１に沿ってもう一つの胴縁３ａを配置し、これに新規壁板２をビスまたは釘等の止着具（図示例は釘）１６により取り付けた構造とされている。
【００１８】
この場合、新規壁板２裏面と帯状基板１１との間に隙間が出来る事があるので、この場合はバックアップ材８ａを介挿した後にコーキング剤など不定形シーリング剤８が充填される。また、図３において接合用延出片１３は既設サッシ窓枠１の外縁１ａの全体にわたって当接可能とされ、これらの間に前述したコーキング剤などの不定形シーリング材の他、部分図に拡大して示すようにひれ付きのパッキン８ｃ、ガスケットのような定型シーリング材８ｂが介在される。
【００１９】
また、図中、８ｄはコーキング剤等の不定形シーリング剤を示し、既設サッシ窓枠１の外縁１ａと縁部材１４との外面表面間をシールするものである。このシーリング剤８ｄは、既設窓枠サッシ１の外枠１ａと縁部材１４との間をシールするため、シーリング材８と共にまたは単独で施工される。
【００２０】
実施の形態２
図４は、実施の形態２であるリフォーム壁面に対するサッシ窓枠の補修部材の断面図であり、上枠辺の断面を示したものである。
この実施の形態２におけるリフォーム壁面に対するサッシ窓枠の補修部材１０ｂは、実施の形態１の補修部材の上枠辺に配置される部材を改良したもので、既設サッシ窓枠１の上枠辺１ｂに対応する補修部材１０ｂにおける縁部材１４ｂが、帯状基板１１上に配置固定されるリフォーム壁板２下端位置よりリフォーム壁板２表面側へと下降斜面を形成して延出され、この縁部材１４ｂの延出端から下方へ前垂れ部１７を延出形成して構成されている。
【００２１】
なお、図中１４は実施の形態１における縁部材１４をそのまま残したものを示し、必要に応じて除去することもできる。即ち、実施の形態２のサッシ窓枠の補修部材１０ｂは、実施の形態１のリフォーム壁面に対する補修部材１０の縁部材１４を、リフォーム壁板２の下端位置に変更し、その延出端に前垂れ部１７を形成したものである。
【００２２】
なお、図中１８は、サッシ窓枠の補修部材１０ｂに横枠辺に取付けられるサッシ窓枠の補修部材１０をビスで止着する場合、止着用のビス１９（図５）のネジ筋を係合させるための筒状部である。
【００２３】
この実施の形態２のリフォーム壁面に対するサッシ窓枠の補修部材１０ｂも実施の形態１と同様、接合用延出１３とサッシ窓枠１ｂとの間に必要に応じシーリング材やパッキン材などの防水用充填材を介挿し、帯板状基板１１をサッシ窓枠１の上枠辺に沿って胴縁３又は取付け金具（図示せず）に固定し、リフォーム壁板２と縁部材１４の間にシール材８を充填すれば上枠辺部分の補修は終了する。
【００２４】
なお、この補修部材１０ｂに横枠辺部分の補修部材１０を、図８に示すようにビス１９、１９を筒状部１８、１８へネジ込むことにより止着する。この実施の形態２のサッシ窓枠の補修部材１０ｂによれば、壁板２下端のシール材８でシールされた部分から下降傾斜して突出する縁部材１４ｂが設けられているので、壁板２表面を伝って流下する雨水は壁板裏面へ回り込むことなく庇状の縁部材１４ｂから前垂れ部１７を伝って落下される。従って、上枠辺部分の防水が完全に図られ、同時に前垂れ部１７によって上枠辺部分の外観も整えられる。
【００２５】
この実施の形態２におけるサッシ窓枠の補修部材も実施の形態１の図３に示した構成と同様、胴縁３を帯状基板１１と同方向に配置固定すると共に、バックアップ材８ａを介挿した後にコーキング剤など不定形シーリング剤８を充填して防水することもできる。
【００２６】
また、図５において図３に示す符号と同じ部材は同一または相当する部材を示すため詳細な説明は省略する。
実施の形態３
図６は、実施の形態３であるリフォーム壁面に対するサッシ窓枠の補修部材の断面図であり、下枠辺の断面を示したものである。
【００２７】
この実施の形態３におけるリフォーム壁面に対するサッシ窓枠の補修部材１０ｃは、実施の形態１あるいは実施の形態２の補修部材の下枠辺に配置される部材を改良したもので、既設サッシ窓枠１の下枠辺１ｃに対応する帯板状基部１１より延出される接合用延出片１３とこれに連なる縁部材１４とが前記既設サッシ窓枠１の下枠辺１ｃより下降傾斜面を形成してリフォーム用壁板２表面側へと延出され、前記縁部材の延出端から下方へ前垂れ部１７を延出して形成されている。
【００２８】
なお、図中２０は前垂れ部１７内面から帯板状基板１１へ架設した補強ステーを示し、必要に応じ設けられるものであって、無くても良い。即ち、実施の形態３のサッシ窓枠の補修部材１０ｃは、実施の形態１のリフォーム壁面に対する補修部材１０の縁部材１４を、既設のサッシ窓枠１から下降傾斜状に延出したものである。
【００２９】
この実施の形態３のリフォーム壁面に対するサッシ窓枠の補修部材１０も実施の形態１と同様胴縁２に帯板状基板１１をサッシ窓枠１の下枠辺に沿って固定し、壁板上端との間にシール材８を充填すれば下枠辺部分の補修は終了する。
【００３０】
なお、横枠辺部分の補修部材１０には、図８に示したようにビス１９、１９を下枠辺の補修部材１０ｃの筒状部１８、１８へネジ込むことで止着する。この実施の形態３のサッシ窓枠の補修部材１０によれば、サッシ窓枠１の下枠辺部分と壁板２上端の間には接合用延出片１３と縁部材１４が一体となって延在するので、サッシ窓ガラス表面を伝って流下する雨水は縁部材１４から前垂れ部１７を伝って落下され、壁板裏面方向へ流入する恐れはない。
【００３１】
従って、下枠辺部分の防水が完全に図られ、同時に前垂れ部１７によって下枠辺部分の外観も整えられる。図７は、この実施の形態３の他の構成例を示す断面図で、胴縁３、バックアップ材８ａとシール材８、コーキング材８ｂ、８ｄの構成については実施の形態１、２と同じであり、同一符号を付すことで詳細な説明は省略する。
【００３２】
上記の各実施の形態において、サッシ窓枠の補修部材は横枠用、上枠用、下枠用のものをそれぞれ単独で使用する他、これらを一体に組合わせ一つの枠としても使用される。
【図面の簡単な説明】
【００３３】
【図１】本発明の実施の形態１の断面図
【図２】本発明の実施の形態１の壁下地材の他の構成例を示す断面図であり、（ａ）は取付け金具を用いた場合を示す図、（ｂ）は不陸調整金具を用いた場合の壁下地材を示す図
【図３】本発明の実施の形態１の他の構成例の断面図
【図４】本発明の実施の形態２の断面図
【図５】本発明の実施の形態２の他の構成例の断面図
【図６】本発明の実施の形態３の断面図
【図７】本発明の実施の形態３の他の構成例の断面図
【図８】本発明の実施の形態の組み立て状態を示す斜視図
【図９】従来例の断面図
【図１０】さらに他の従来例の断面図
【符号の説明】
【００３４】
１  既設サッシ窓枠
１ｂ  既設サッシ窓枠の上枠辺
１ｃ  既設サッシ窓枠の下枠辺
３  下地材
４  既設壁面
８  シール材
１０  リフォーム壁面に対するサッシ窓枠の補修部材
１０ｂ  リフォーム壁面に対するサッシ窓枠の上枠辺の補修部材
１０ｃ  リフォーム壁面に対するサッシ窓枠の下枠辺の補修部材
１１  帯板状基部
１２  帯板状基部のサッシ窓枠側端
１３  接合用延出片
１４  縁部材
１４ｂ  縁部材
１７  前垂れ部
【図１】
2007198127.tif 000003
【図２】
2007198127.tif 000004
【図３】
2007198127.tif 000005
【図４】
2007198127.tif 000006
【図５】
2007198127.tif 000007
【図６】
2007198127.tif 000008
【図７】
2007198127.tif 000009
【図８】
2007198127.tif 000010
【図９】
2007198127.tif 000011
【図１０】
2007198127.tif 000012